(57)【要約】      （修正有）【課題】スマートフォン等の電子機器を用いて視聴コンテンツを容易に取得若しくは提供するプログラム、電子機器、システムおよび入力デバイスを提供する。【解決手段】カード１を電子機器のタッチパネル３に接触若しくは近接させることによりカード内の複数の位置に配置された被検出要素の位置を取得し、取得した被検出要素の配置位置の組み合わせに対応してインターネット上に存在する視聴コンテンツを取得し、視聴コンテンツを電子機器において再生出力する。【選択図】図５
2016009291.tif 000002
【特許請求の範囲】
【請求項１】
電子機器において実行されるプログラムであって、
前記電子機器は、表面に対する人体若しくは導電体からなる被検出要素の接触若しくは近接を略同時に複数個検出することができる検出手段、画像表示手段を備えたタッチパル、記憶手段、インターネット接続手段および前記各手段を制御する制御手段を備え、
前記プログラムは、前記タッチパルに接触若しくは近接した複数の位置に配置された被検出要素の位置を取得し、
前記取得した被検出要素の配置位置の組み合わせに対応して記憶されているコンテンツ取得情報を前記記憶手段若しくは前記インターネット接続手段を介して接続した情報保持手段から取得し、
当該取得したコンテンツ取得情報に基づいて、音声出力若しくは画像出力を伴う視聴コンテンツを取得するように構成したことを特徴とするプログラム。
【請求項２】
コンテンツ取得情報は、前記コンテンツを提供するサーバーのＵＲＬであることを特徴とする請求項１記載のプログラム。
【請求項３】
コンテンツ取得情報は、前記コンテンツ探す検索条件であることを特徴とする請求項１記載のプログラム。
【請求項４】
表面に対する人体若しくは導電体からなる被検出要素の接触若しくは近接を略同時に複数個検出することができる検出手段、画像表示手段を備えたタッチパル、記憶手段、インターネット接続手段および前記各手段を制御する制御手段を備え、
前記タッチパルに接触若しくは近接した複数の位置に配置された被検出要素の位置を取得し、
前記取得した被検出要素の配置位置の組み合わせに対応して記憶されているコンテンツ取得情報を前記記憶手段若しくは前記インターネット接続手段を介して接続した情報保持手段から取得し、
当該取得したコンテンツ取得情報に基づいて、音声出力若しくは画像出力を伴う視聴コンテンツを取得するように構成したことを特徴とする電子機器。
【請求項５】
コンテンツ取得情報は、前記コンテンツを提供するサーバーのＵＲＬであることを特徴とする請求項４記載の電子機器。
【請求項６】
コンテンツ取得情報は、前記コンテンツ探す検索条件であることを特徴とする請求項４記載の電子機器。
【請求項７】
表面に対する人体若しくは導電体からなる被検出要素の接触若しくは近接を略同時に複数個検出することができる検出手段、画像表示手段を備えたタッチパル、記憶手段、インターネット接続手段および前記各手段を制御する制御手段を備え、前記タッチパルに接触若しくは近接した複数の位置に配置された被検出要素の位置を取得し、前記取得した被検出要素の配置位置の組み合わせに対応して記憶されているコンテンツ取得情報を前記記憶手段若しくは前記インターネット接続手段を介して接続した情報保持手段から取得する電子機器と、
当該電子機器によって同時に検出される複数の被検出要素を備えた入力デバイスと、
前記コンテンツ取得情報に基づくアクセスに応じて、前記画像表示手段を介して出力可能な視聴コンテンツを提供するサーバー手段を有したことを特徴とするコンテンツ提供システム。
【発明の詳細な説明】
【技術分野】
【０００１】
本発明は、所謂タッチパネルを備えた電子機器上で実行されるプログラム、当該プログラムを実行した電子機器、当該電子機器に対して情報を入力する入力デバイス、コンテンツ提供システムに関するものである。
【背景技術】
【０００２】
現在、音楽や動画等のコンテンツをインターネットを介して取得し、スマートフォンやタブレット端末を使用して視聴することが行われている。例えば、非特許文献１や非特許文献２のような音楽提供サイトがあり、適宜の課金方法に基づいて支払いを行うことで、音楽や動画等のコンテンツを取得することができるものである。
【先行技術文献】
【非特許文献】
【０００３】
【非特許文献１】「ｍｏｒｅ」インターネット＜URL： http://mora.jp/＞
【非特許文献２】「ｉＴｕｎｅｓ」インターネット＜URL：http://www.apple.com/jp/itunes/＞
【０００４】
上記のように、音楽や動画等の音声や画像出力を伴う視聴コンテンツをインターネットを介して購入し、購入者が所有するスマートフォン等の電子機器によって再生し視聴することが一般的に行われている。これらの視聴コンテンツは、テレビやラジオ等の公共放送を利用したコマーシャル放送やウエブサイト上における広告表示、雑誌や新聞といった所謂紙媒体によってその存在が利用者に知らされることが多い。
また、スマートフォン等の電子機器を利用して各種ウエブサイトに接続させる方法として、ＱＲコード（株式会社デンソーウェーブの登録商標）等の二次元コードを光学的に読み取ってＵＲＬを取得し、当該ＵＲＬを有するサーバーに接続する方法がある。その他、ＮＦＣ等のＩＣに記憶した情報を無線方式によって電子機器に取り込み、取得した情報に基づいて所定のサーバーに接続する方法がある。
【発明の概要】
【発明が解決しようとする課題】
【０００５】
スマートフォン等の電子機器を用いて視聴コンテンツを取得する方法には、前述のように各種の広告媒体や、インターネット上に掲載されているＵＲＬ情報に基づいてサーバーに接続する方法がある。
本発明は上記各手段に加え、コンテンツの広告媒体として利用可能な新たな手段を提供するものであり、かつ認識可能な情報を保持した新たな電子機器用のデバイスを提供することを目的とするものである。また、これらの手段を利用した各種のシステムを提供することを課題とするものである。
【課題を解決するための手段】
【０００６】
上記課題を解決するために本発明は以下の手段を有する。すなわち、
電子機器において実行されるプログラムであって、
前記電子機器は、表面に対する人体若しくは導電体からなる被検出要素の接触若しくは近接を略同時に複数個検出することができる検出手段、画像表示手段を備えたタッチパル、記憶手段、インターネット接続手段および前記各手段を制御する制御手段を備え、
前記プログラムは、前記タッチパルに接触若しくは近接した複数の位置に配置された被検出要素の位置を取得し、
前記取得した被検出要素の配置位置の組み合わせに対応して記憶されているコンテンツ取得情報を前記記憶手段若しくは前記インターネット接続手段を介して接続した情報保持手段から取得し、
当該取得したコンテンツ取得情報に基づいて、音声出力若しくは画像出力を伴う視聴コンテンツを取得するように構成したことを特徴とする。
【０００７】
また、前記プログラムであって、コンテンツ取得情報は、前記コンテンツを提供するサーバーのＵＲＬであることを特徴とするものである。
また、前記コンテンツ取得情報は、前記コンテンツ探す検索条件であることを特徴とする。
【０００８】
また、電子機器であって、
表面に対する人体若しくは導電体からなる被検出要素の接触若しくは近接を略同時に複数個検出することができる検出手段、画像表示手段を備えたタッチパル、記憶手段、インターネット接続手段および前記各手段を制御する制御手段を備え、
前記タッチパルに接触若しくは近接した複数の位置に配置された被検出要素の位置を取得し、
前記取得した被検出要素の配置位置の組み合わせに対応して記憶されているコンテンツ取得情報を前記記憶手段若しくは前記インターネット接続手段を介して接続した情報保持手段から取得し、
当該取得したコンテンツ取得情報に基づいて、音声出力若しくは画像出力を伴う視聴コンテンツを取得するように構成したことを特徴とする。
【０００９】
また、電子機器であって、前記コンテンツ取得情報は前記コンテンツを提供するサーバーのＵＲＬであることを特徴とする。
また、電子機器であって、前記コンテンツ取得情報は前記コンテンツ探す検索条件であることを特徴とする。
【００１０】
また、コンテンツ提供システムであって、
表面に対する人体若しくは導電体からなる被検出要素の接触若しくは近接を略同時に複数個検出することができる検出手段、画像表示手段を備えたタッチパル、記憶手段、インターネット接続手段および前記各手段を制御する制御手段を備え、前記タッチパルに接触若しくは近接した複数の位置に配置された被検出要素の位置を取得し、前記取得した被検出要素の配置位置の組み合わせに対応して記憶されているコンテンツ取得情報を前記記憶手段若しくは前記インターネット接続手段を介して接続した情報保持手段から取得する電子機器と、
当該電子機器によって同時に検出される複数の被検出要素を備えた入力デバイスと、
前記コンテンツ取得情報に基づくアクセスに応じて、前記画像表示手段を介して出力可能な視聴コンテンツを提供するサーバー手段を有したことを特徴とする。
【発明の効果】
【００１１】
本発明に係るプログラムおよび当該プログラムをインストールしたスマートフォン等のタッチパネルを有した電子機器およびシステムは、入力デバイスとしてのカードが保持したコード情報を読み取り、当該コード情報に基づいて前記電子機器によって音声や動画等の視聴可能なコンテンツを取得することができるという効果を有している。
【図面の簡単な説明】
【００１２】
【図１】本発明の一形態であるカードおよび当該カードの使用方法を表した説明図である。
【図２】本発明に係るコンテンツ提供システムの概要を表した説明図である。
【図３】入力デバイスとして形成したカードの構造を表した分解図である。
【図４】カードに搭載した被検出部の配置可能位置の一例を表した説明図である。
【図５】アプリケーションが表示する画面の一例を表した説明図である。
【図６】タッチパネルとカードに設けた被検出領域との対応関係を表した説明図である。
【図７】データテーブルの一例を表す説明図である。
【図８】チケット販売に係るシステムの概要を表したフローチャートである。
【発明を実施するための形態】
【００１３】
以下、本発明を実施するための形態について図を用いて説明する。
図１は、本発明の一形態であるカード１と、当該カード１を使用するための電子機器２としてのスマートフォン型の携帯端末を示している。携帯端末には、画像を表示する表示画面に人体等が触れることによって各種の操作入力を行うことができる所謂タッチパネル（「タッチスクリーン」ともいう）３を有している。タッチパネル３には、画面の表面に近接した物体と検出部との間に生じる静電容量の変化を利用することで、人体の指先等の接触を操作入力として検知する方式のものが用いられる。その他、この方式に準じた種々のデバイスが用いられる。
電子機器２には、上記スマートフォン型の携帯端末の他に、デスクトップ型のコンピュータ、ラップトップ型のコンピュータ、その他画像として表示したキーボードに触れることで各種の入力を行うことができるサーフェイス型、タブレット型端末などの各種の装置を利用することができる。
本発明は電子機器２のタッチパネル３にカード１を接触若しくは近接させることで、カード１内に配置した静電容量を保持する薄膜状の複数の導電領域を電子機器２に検出させ、当該検知結果を電子機器２上で実行されるアプリケーションプログラム（以下単に「アプリケーション」若しくは「プログラム」という）で利用するための各手段を提供するものである。
【００１４】
図２は、本発明の一手段である電子機器２に対する入力デバイスであるカード１を用いたコンテンツ提供システムの概略図である。電子機器２は、コンピュータ端末機器としてＣＰＵ等の演算手段を有した制御手段２ａ、ＯＳ、プログラム、データ等を記憶するＲＯＭ／ＲＡＭ等の記憶手段２ｂ、有線若しくは無線方式によりインターネットと接続する通信手段（通信ＩＦ）２ｃ、ＧＰＳ衛星の電波信号を受信するＧＰＳ受信機２ｄ、操作入力用の機械式スイッチ、画像表示手段と検出デバイスを兼ねたタッチパネル３を有している。タッチパネル３は、前述した通り検出デバイスとの間に生じる静電容量の変化を検出および出力することで、タッチパネル表面の該当箇所における入力の有無等を判断できるように構成されたものである。
【００１５】
インターネット上には、アプリケーション提供サーバー５が設けられている。アプリケーション提供サーバー５には、電子機器２によって実行可能なアプリケーションプログラムが保持されており、電子機器２からの要求によって提供するようになっている。
電子機器２は当該アプリケーション提供サーバー５より必要なアプリケーションをダウンロードして記憶するとともに、電子機器２が備える上記各手段を使用して所定のアプリケーションを実行するものである。
【００１６】
また、インターネット上にはコード管理サーバー６が設けられている。コード管理サーバー６は、電子機器２からコード情報を取得し、当該コード情報に対応する各種の情報を当該電子機器２に提供するように構成されたものである。なお、当該コード管理サーバー６の機能は、前記アプリケーション提供サーバー５が兼ねても差し支えない。
その他、インターネット上には、電子機器２端末に対して音楽を提供する音楽提供サーバー７ａ、動画提供サーバー７ｂ、読書コンテンツ提供サーバー７ｃ等、コンテンツの提供企業が用意した種々のコンテンツ提供サーバーが存在している。これらのサーバーは、本発明に係るアプリケーションを搭載した電子機器専用に接地されるものの他、他の一般電子機器に対して情報を提供する汎用性のあるものであってもよい。
【００１７】
カード１は、一例として０．５ｍｍ程度の肉厚に形成されており、外形形状は略矩形の薄いシート状を成している。その大きさはクレジットカード、トランプカードと同程度の指先で持つことができる程度の大きさに形成されており、一例として横幅５９ｍｍ×縦長さ８６ｍｍ程度の外形を成すように形成されている。
カード１は紙若しくは合成樹脂シートを基材１０として表裏それぞれに印刷層を形成したものである。また、必要に応じて、表面や内層に樹脂フィルムや金属箔の貼り付けが行われる。基材１０を含めたカード１を構成する各層は、インクや塗料の発色による文字や画像等により構成された視覚情報の形成、カード１自体の形状を保持するために必要な適度な柔軟性を有した剛性の維持、温度や湿度等の環境変化に対する耐変形性、後述する導電層１１の隠蔽などを目的として設けられている。
【００１８】
図３は、カード１の構造を説明した分解図であり、カード１の外観形状を構成する基材１０の裏面に積層される各層を表したものである。基材１０は、多少の柔軟性を有しつつ手に取っても著しく形状が崩れることのない程度の剛性を備えた紙や合成樹脂製のシートによって形成されている。
基材１０には、当該基材１０に積層される導電層１１と、当該導電層１１を含めた基材１０上に積層されるＹＭＣ（Ｂ）等の各色のインク若しくは顔料による複数の印刷層１２（１２ａ、１２ｂ、１２ｃ）が形成される。各層からなる印刷層１２によって写真、絵、文字や記号が表現される。印刷層１２は導電層１１の表面を覆う被覆層として構成されているものであり、仕様により紙や合成樹脂製のシートが当該被覆層に加えられる。
【００１９】
導電層１１は、電荷の移動を可能とする細線状および円形、正多角形状に形成された領域を有する導電性のある素材によって形成された層である。本実施の形態では所謂箔押しという手法によって、製版データに従って金属膜である薄いアルミニウム箔を加圧・加熱することで基材１０上に形成したものである。導電層１１を形成する薄膜が蒸着によって形成された箔である場合、上記のように加熱・押圧することが好ましい。膜を構成する金属素材間の密接度が高まり導電抵抗が低減されるからである。導電抵抗が低減されると、導電層１１内における電荷の移動が行われやすくなる。特に細線である後述する接続線１５は金属素材同士が接する幅が狭いため断線を生じやすいものであるが、抵抗を低減することで断線によって電荷の移動が妨げられるのを防止若しくは低減できるようになる。
【００２０】
なお、静電容量を保持する能力を高めるために一般的な印刷用に用いる膜よりも肉厚を増加させたり、アルミニウムに錫その他の異種金属を混合させて保持する静電容量を高めた膜を用いてもよい。
図示した導電層１１は、タッチパネル３によって検出可能な静電容量を保持する所定の面積（タッチパネルを指先で触ったときに接触する皮膚の面積程度）を有した複数の被検出部１３（１３ａ、１３ｂ、１３ｃ、１３ｄ、１３ｅ）と、タッチパネル３による検出を意図しない端縁からカード全長の１／３程度の長さを全幅に亘って有する比較的面積の広い導電領域１４と、これら被検出部１３と導電領域１４を接続する幅の細い接続線１５を有するように形成されている。
【００２１】
導電層１１は、詳細には後述する円板形状等に形成した被検出部をタッチパネルによって検出させることを目的として形成したものである。被検出部を設けた側とは反対側に面積の広い導電領域１４を形成すると、導電層１１全体が保持する電荷量を高めることができ、タッチパネルによる検出時には被検出部１３側と導電領域１４側との間で電荷が正と負に分かれるように偏りが生じる。
タッチパネルは、タッチパネルが有する検出部と被検出部１３との間に生じる静電容量の変化を検出するようになっている。すなわち、コンデンサにたとえると、タッチパネルの検出部が一方の電極であり、人間の指や導電性物質からなる他方の電極が近接して両電極間に電荷が保持されたことを検知すると、その検出部が存在している部位（タッチパネル上の座標）に何らかの導電性物質が近接若しくは接触しているものと判断するものである。上記のように被検出部１３側と導電領域１４側との間で電荷の偏りが生じやすくなると、検出部で検出される電荷量の変化も顕著になり検出が容易になる。
【００２２】
上記のように、導電領域１４を設けることで、カード１は検出部における被検出部１３の検出の確度を向上させている。
また、上記導電領域１４の形成に加えて、本実施の形態に係るカード１は、図７（ｂ）に示すように導電層１１の基部となる導電領域１４の外縁の一部を、表出部１４ａとしてカード１の側縁から表出するようになっている。
カード１の外縁は、裁断型によって断ち落とされた端面によって構成される。予めカード１の外形を超えた大きさで導電層１１を形成しておくことで、外形の裁ち落とし時に端面に導電層１１を表出させる訳である。
このように端面に導電層１１を表出させたのは、人間がカード１を持つ際に触れることができるからである。人間が導電層１１に触れると、導電層１１と人体が電気的に導通して大きな容量体を構成するか、若しくは人体が保持する電荷によって導電層１１内の電荷が人間側に引き寄せられて電荷の偏りが顕著に生じる。この結果、検出部における検出確度がさらに向上し安定してカード１が有する被検出部を検出できるようになる。しかも、幅の狭い端面であるから、導電層１１の表出を使用者に意識させることがないという利点がある。本実施の形態に係るカード１は、上記観点からカード１の端面に導電層１１を表出させている。
【００２３】
図４（ａ）はタッチパネル３との接触面（カード１の裏面）側から見た被検出部１３の配置可能位置を、１〜３０の符号を付した点線で表した円によって表示したものである。被検出部１３はカード１の先端縁の矩形領域として設定される被検出領域１６内に配置されるようになっている。被検出領域内における被検出部１３は、縦と横の間隔に規則性を有する行列状の配置可能位置から選択された位置に設けられる。図示した例では縦５行横６列の１〜３０の番号を付した円の中心位置を基準点として３０カ所の配置可能位置（配置可能座標）が設定されている。
図４（ｂ）は、前記３０カ所の配置可能位置から選定された５カ所に被検出部１３（１３ａ、１３ｂ、１３ｃ、１３ｄ、１３ｅ）を設けるとともに、導電領域１４および当該導電性領域１４と各被検出部１３を電気的に接続する接続線１５を設けた様子を表した説明図である。接続線１５は、被検出部１３と導電性領域１４および導電性領域１４同士の配置関係に応じて被検出部１３同士を結ぶようになっている。
図４（ｂ）に示した例では、被検出部１３として金属箔で構成される直径８ｍｍの導電部を１番、１５番、１８番、２０番、２９番の位置に配置している。
【００２４】
導電領域１４は後端縁および後端縁両端の角部付近を含むカード１全体の約１／４程度の面積を有する金属箔で構成された略矩形の導電部として構成されている。被検出部１３と導電領域１４を接続する接続線１５も同様に金属箔により形成されており、これらを電気的に導通させる作用を有している。なお、当該接続線１５はタッチパネルによって検出されないことが好ましいため、電気的な接続作用を有する限りにおいてできるだけ細く形成される。また、被検出領域１６内における接続線１５は、前記３０カ所に配置が予定される配置可能位置の上を通過せず、近接する配置可能位置の中間位置を通過するように設けられる。被検出部１３の有無を検出する際に、影響を与えないようにするためである。また、導電領域１４には被検出部１３の配置によって決定される固有の識別番号S/Nが付されている。識別番号S/Nと被検出部１３の配置は対応しており、これによってカード１に搭載されている情報の管理を行うことができるようになっている。
【００２５】
上述したように上記１番〜３０番の何れかに被検出部が配置されることになる。そして、配置されている箇所を１、配置されていない箇所を０として表すと、被検出部の配置を二進数の数列によって表すことができる。図４（ｂ）に示した例では、１番，１５番，１８番，２０番，２９番に被検出部が配置されているので、これを二進数的に表すと（10000000 0000 0010 0101 0000 0000 10）のように表すことができる。
これに、カードの管理符号として二進数的な00,01,10,11を最終桁に付加すると、（10000000 0000 0010 0101 0000 0000 1000）のような３２桁（３２ビット）の数列として表すことができる。３２桁の二進数の数列は、さらに0〜Fを用いた１６進数によって表すことができる。上記３２桁の数列の場合、これを１６進数で表すと80025008と表することができ、本実施の形態ではこの数列を識別番号S/Nとしている。
【００２６】
本実施の形態は、３０カ所設けた配置可能位置に５個の被検出部を配置している。このため、被検出部が配置される位置の組み合わせ数は３０Ｃ５＝１４２５０６通りである。この組み合わせは、カード１が保有する固有のコード情報として取り扱うことができ、各コード情報を前記１６進数の数列として管理することができるようになる。すなわち、カード１を読み取ることによって１６進数の数列が取得でき、この数列に関連づけられている情報を表示したり、インターネット上に設けられているサーバーから対応する情報を取得することができるようになる。
【００２７】
カード１に搭載されたコード（被検出部の配置）の読み取りは、所謂マルチタッチ機能を有するタッチパネルを有したスマートフォン等の電子機器端末によって行われる。端末の仕様により異なるが、現在流通している通常のスマートフォンは５個〜１０個の被検出部を同時に検出できる。一般的に、このような複数点の同時検出を行える仕様をマルチタッチ式という。
被検出部を設けたカード１をタッチパネル３上に載置すると、電子機器２は接触した手の指先を検出するのと同様に被検出部の位置を検出しその座標を取得する。マルチタッチ方式のタッチパネルを有する電子機器では、略同時（短時間内）に５カ所の被検出部の中心位置座標を取得することができる。本発明に係るアプリケーションは取得した座標に基づいて前述のコード情報を生成し、当該コード情報を利用して各種の処理を行うようになっている。
【００２８】
カード１が有するコード情報は、アプリケーション提供サーバー５からダウンロードしたアプリケーションを用いることによって取得することができる。図５（ａ）は、前記アプリケーションを起動した後に表示される画面の一例を表している。
電子機器は、この画面はカード１の読み取りを待機している状態になっており、所定位置にカード１が配置されると当該カード１が有するコード情報を読み取るようになっている。
当該画面には、操作を促す文字表示２０、タッチカードを重ね合わせるタッチパネル３上の領域を示すガイドライン２１（２１ａ、２１ｂ、２１ｃ）、ガイドライン２１内にカード１を重ね合わせることを促すイラスト画２２および説明文２３が表示されている。また、タッチパネル３の下辺部には、当該アプリケーションに指示を与えるＧＵＩ（graphical user interface）として形成されたメニュースイッチ画像が表示されている。以下、使用者によって操作されるスイッチ画像を「ＧＵＩ」、「ＧＵＩスイッチ」、「ＧＵＩメニュー」等と称する。
【００２９】
各種ＧＵＩメニュー２４の下には、「BACK」「S/N」「HELP」等の機能ＧＵＩ２６が設けられている。「BACK」は、一つ前の画面に戻る場合に指先で触れるスイッチであり、前画面が存在しない場合にはそのままの画面が表示される。「S/N」は、１６進数化されたコード情報を入力する場合に使用するスイッチである。これは、タッチパネルによるカードの読み取りが行えない場合に入力するものである。仕様に応じて、当該「S/N」スイッチを、電子機器が備えるカメラを用いて光学的に認識するバーコードや二次元コードを利用するスイッチとして設けてもよい。「HELP」は使用方法等を表示する際のスイッチである。
図５（ｂ）は、電子機器３の画面（タッチパネル３）上に表示されているガイドライン２１（２１ａ、２１ｂ、２１ｃ）内にカード１を重ね合わせた状態を表している。ガイドライン２１に囲まれた検出エリア２５上にカード１が重ね合わされると、カード１に搭載されている複数の被検出部１３がタッチパネル３によって検出される。
【００３０】
カード１を用いたマルチタッチを検出するには様々な手法がある。本実施の形態では被検出部１３を検知した場合にその中心位置座標を取得し、当該中心位置座標が各被検出部１３と一対一に対応する検出範囲の中にある場合に、当該検出範囲と対応する位置に被検出部１３が設けられると判断する手法を用いる。
一般的なスマートフォンの場合、搭載されている液晶や有機ＥＬパネルが有する解像度とほぼ同じ分解能で検出座標の取得が可能である。これにより、画面上に表示させたある形状のＧＵＩに、当該ＧＵＩと同形状の検出範囲を重ねて配置することができ、画像であるＧＵＩが押されたかどうかを検出デバイスによって検知することができる。また、指が触れた部分を検出デバイスによって検知し、検出した部分と同位置の画面上に触れた位置を表示するという処理も可能となっている。これは、画像の解像度と検出の解像度がほぼ一致していることによって可能になっている。
【００３１】
図６（ａ）に示すように、本実施の形態では、タッチパネル３にカード１の被検出領域１６に対応した検出エリア２５を設定している。検出エリア２５には、カード１の被検出領域１６に配置される１番〜３０番までの各被検出部１３に対応する１番〜３０番までの波線で示した検出範囲が設定されている。
図６（ｂ）は、タッチパネル３の検出エリア２５上にカード１の被検出領域１６を重ね合わせた状態を表している。実際には被検出部１３はカード内に積層されており、検出範囲もプログラム処理によって設定されているものであるため視覚的には見ることができないが、同図では説明のために被検出部および検出範囲を点線で示している。
【００３２】
被検出部の接触位置は、タッチパネル３のハードウエアが有する機能に基づき画素に対応するｘ−ｙ座標で特定される点として出力される。この際、指先や円形などの面積を有する範囲の接触位置は、検知されている形状に基づいてその中央位置を推測する内部的な演算が行われる。電子機器で実行される本発明に係るアプリケーションは、このように出力された座標を利用してカード１が有するコード情報を取得する。このような機能に基づき、円形に形成された被検出部１３の場合には、その中央位置が被検出部１３の検出位置座標として取得される。
図６（ｂ）に示した例で説明すると、５カ所の被検出部１３ａ、１３ｂ、１３ｃ、１３ｄ、１３ｅの各中心位置ａ、ｂ、ｃ、ｄ、ｅの座標で特定される位置に、各被検出部が配置されているものとして認識される。
【００３３】
カード１がタッチパネル３に対して隙間を生じることなく均一に接触し、個々の被検出部全面が均質にタッチパネル３表面に対して対向する場合には、中心位置が被検出部の座標位置として取得される。そして、図６（ｂ）に示すように、タッチパネル３の検出エリア２５とカード１の被検出領域１６が一致した状態で両面が接すると、各被検出部の中央ａ、ｂ、ｃ、ｄ、ｅが、検出エリア２５内に設定された検出範囲のほぼ中央に存在しているものとして認識される。本実施の形態では、アプリケーションソフトは５個の被検出部を同時に検出した場合に、すなわち５カ所の検出範囲において同時に被検出部の存在を示す位置の検出が行われた場合に、この検出範囲の配置番号（１番〜３０番）をカード１が有するコード情報として取得する。
【００３４】
図６（ｃ）は、カード１タッチパネル上で約５度程度回転した状態を表している。すなわち、タッチパネル３の検出エリア２５とカード１の被検出領域１６が正確に対応せず、位置関係に多少のズレが生じた場合を示している。しかしながらこの例では、５カ所の被検出部１３ａ、１３ｂ、１３ｃ、１３ｄ、１３ｅの各中心位置ａ、ｂ、ｃ、ｄ、ｅ全てが、１番〜３０番で特定される検出範囲の中に収まっている。したがって、この場合のように、タッチパネル３の検出エリア２５とカード１の被検出領域１６が正確に対応していなくても、そのズレが一定程度以内のものであれば、カード１が有するコード情報を取得することができる。このことは、カード１がタッチパネル８に対して多少の位置ズレを許容することを示している。
なお、上記のズレが一定程度を超えて同時に５個の被検出部が検出できない場合にはカード１が有するコード情報を取得せず、本体に設けられている終了スイッチが押されるまで検出処理を継続する。
【００３５】
次に本発明の係るカードおよびアプリケーションを用いた具体例であるコンテンツ提供（取得）システム（以下「本システム」という）について説明する。カード１の表裏には、一例として音楽ＣＤアルバムのジャケット写真や、当該音楽ＣＤアルバムの説明、当該カードのシリアル番号Ｓ／Ｎが印刷されている。カードは、音楽ＣＤアルバム、ＤＶＤビデオ、電子書籍等の様々な視聴コンテンツや演者を表す内容の印刷が行われており、提供される視聴コンテンツの内容に応じてユニークな被検出部が内蔵されている。
前述した被検出部１３として（0100 0000 0010 0000 0100 1000 0000 1000）のコード配置を有するカードには、これを１６進数化した40204808のS/Nナンバーが印刷される。また、（0100 0010 0000 0000 0100 1000 0000 1000）のコード配置を有するカードには42004808 のS/Nナンバーが印刷され、（0100 1000 0000 0000 0100 1000 0000 1000）のコード配置を有するカードには48004808のS/Nナンバーが印刷される。当該シリアルナンバーは、被検出部の読み取りができなかった場合のために、アプリケーションが用意する入力画面によって電子機器に対して直接入力ができるものとなっている。
【００３６】
前記カードに搭載された情報は、電子機器において実行されるアプリケーションを利用することでタッチパネルを介して取得される。当該アプリケーションは、カードからコード情報を取得すると、図７に示すようなデータテーブルに基づき当該コードに対応したＵＲＬを取得し、ＵＲＬで特定されるインターネット上のサーバーに電子機器を接続し、サーバー上に蓄積されている視聴コンテンツを取得する。
本発明に係るはステムは、カード１に搭載されている情報をタッチパネルを介して取得し、当該取得した情報に基づいてインターネットを介して各種の視聴コンテンツを利用者に提供できるものである。このような視聴コンテンツの提供方法や利用方法として種々のシステムがあるのでそのいくつかを説明する。
【００３７】
第一のシステムは、アプリケーション内にコード情報に対応したコンテンツ提供元となるサーバーのＵＲＬと、当該サーバーとの接続時に要求される認証情報を保持させておくものである。一例として、カードからコード情報を取得すると図７のような対応するＵＲＬを取得できるデータテーブルを設ける。この方法により、特定のコード情報を取得した場合に、対応する視聴コンテンツを保持したＵＲＬからストリーミングやファイルダウンロードの形式によって当該コンテンツを取得できるものである。取得した視聴コンテンツは、電子機器が有するタッチパネルを兼ねたディスプレイおよびスピーカー若しくはヘッドフォン端子を介して出力するようになっている。
前記視聴コンテンツを提供するサーバーが認証を必要としないものであるときには、前記認証情報は送信されないか、送信しても無視される。また、コンテンツを提供するサーバーは、前述のようにアプリケーションに対応した専用のサーバーである場合の他、認証を要することなく動画等を視聴することができる動画提供サイトであっても差し支えが無いものである。サーバーが要求する場合には、電子機器端末が有する固有のＩＤ情報が送信される。
【００３８】
前述の場合、接続先となるサーバー内に複数の視聴コンテンツを用意しておき、電子機器装置からのアクセスにともなって提供可能な複数の視聴コンテンツを示し、その中から視聴コンテンツを選択できるようにしてもよい。提供可能な視聴コンテンツの表示方法には種々の方法があり、同一ページに一覧を示して視聴コンテンツを選択させるように構成したり、音楽コンテンツであればロック、クラシック等のジャンル、映画であればアクションものやＳＦもの等のカテゴリー、アーティスト(演者)、作家等の書誌情報の選択を行った後に、選択された視聴コンテンツの取得ページを表示させるようにしてもよい。
また、前述の例では、データテーブルをアプリケーションに保持させているが、コード情報の取得前若しくは取得後に所定のサーバーに用意されているデータテーブルを取得し、当該取得した情報に基づいて視聴コンテンツの取得先を得るようにしてもよい。この方法には、リアルタイムでサーバーの保持する情報を取得して表示したり、アプリケーションの保有データをアップデートして更新する方法があり、アプリケーションの仕様に基づき適宜の方法が選択される。
【００３９】
第二のシステムは、アプリケーション内にコード情報に対応したミュージシャン名、曲や映画のタイトル等の文字として表示可能な検索用キーワードを記憶させておき、カードの読み込みによって取得したコード情報に対応付けた前記キーワードを用いて指定されたサーバー内を検索し、視聴可能なコンテンツを探し出し利用者に提供するというものである。
検索先となるサーバーは、本発明に係るアプリに対応したコンテンツ配信用のサーバーでもよいし、誰でもアクセスすることができる検索サイトや、動画の投稿や視聴ができるサーバーでもよい。アプリケーションに複数のサイトを検索させる場合、検索結果として提供元が異なるものを含め視聴可能なコンテンツファイルの一覧を表示し、使用者に選択させるようにすることができる。
すなわち、アプリケーションは、カードが有するコード情報に基づいて検索キーワード等の検索条件を設定し、当該検索条件に基づいて視聴コンテンツを取得、若しくは視聴可能なコンテンツのリストを表示して選択した視聴コンテンツを取得（ストリーミング、ダウンロード）して視聴させることができるものである。
検索条件には、前述したミュージシャン名、曲等の他、レコード会社名、映画配給会社名等の固有名詞によって特定可能な情報、視聴コンテンツの発売若しくは公表が行われた日時（「過去１ヶ月」等の期間を含む）等の新着情報を提供可能にするための時間要素、人気若しくは売り上げランキング、音楽であればポップ、ロック等のジャンル等のカテゴリーを特定する情報がある。
【００４０】
上述した視聴コンテンツの提供システムは、当該システムとは別個に構築されているネットショッピング等の電子商取引のシステムに接続しこれと連携することができる。例えば、カードが有するコード情報に基づいて試聴用のコンテンツを利用者に提供し、当該試聴用コンテンツの提供に伴い楽曲や映画等の視聴コンテンツ（データ）の販売システムに接続できるように構成する。
具体的には試聴後若しくは試聴中に販売システムに接続するリンクスイッチをＧＵＩとして表示し、当該リンクスイッチに触れることで販売するシステムに接続できるように構成する。リンクスイッチに設定されるＵＲＬ等の接続情報は、アプリケーション内のデータテーブルに予め保持して場合の他、視聴コンテンツ（データ）のダウンロードとともに同サーバーより取得するように構成してもよい。当該システムは、販促物として不特定者にカードを配布し、コンテンツを視聴させて販売システムに誘導するという用途に利用できる。
なお仕様により、前記試聴後若しくは試聴中に販売システムに接続するリンクスイッチをＧＵＩとして表示する場合の他、試聴後に自動的に購入手続きを行う販売システムに接続してもよい。この場合、視聴コンテンツの視聴後すぐに視聴したコンテンツの購入（販売）に伴う決済の手続きができるので、利用者にとっては購入、視聴コンテンツ提供者にとっては販売の機会を逸することが無いという効果を有する。
【００４１】
本発明に係るアプリケーションは、カードの用途が楽曲の販売であったり、映画の販売であったり、電子書籍の販売であるなど、コンテンツの提供元(販売サイト)がそれぞれ別個に存在していても、それぞれの販売サイトに対するアクセスを共通のプラットフォームである一のアプリケーションを用いて行うことが可能である。したがって、各販売サイトが個別にカード読み取りシステムを備えたアプリケーションを用意しなくても、データテーブルに各社それぞれに対応した情報を保持させておくことにより各社で利用可能な共通システムを提供できる。
なお、当然ながら、販売するシステム自体が個別にカード情報の読み取りと、試聴コンテンツの提供および販売を行うシステムを有していても差し支えが無いものである。
【００４２】
また、上記のような視聴コンテンツの提供システムを、コンサート、観劇等に必要な入場チケットの販売システムに接続（若しくは販売システムの一部に視聴コンテンツの提供システムを組み込む）することで販売システムを拡張することができる。例えば、カードが有するコード情報に基づいて試聴用のコンテンツを利用者に提供するとともに、視聴後若しくは同時に表示したリンクスイッチによって販売システムに接続するというものであり、試聴したアーティストが出演するコンサートの入場チケット購入の予約番号を発行するように構成する。そして、利用者は、この予約番号に基づいてコンビニエンスストア等の実店舗に設置されている発券システムを使用して代金を支払うことで、実際のチケットを購入することができる。このように、試聴させた予告動画に関わるコンサートや観劇の入場チケットを販売することができる。
【００４３】
当該入場チケット販売のためのシステムの概要を図８を用いて説明する。
本発明をチケット販売用のアプリケーションとして構成した場合、アプリケーションを起動するとＧＵＩとして所定の操作メニューが表示される。例えば、アーティストのコンサート情報の検索、映画の上映館と上映スケジュールの検索を行うことができるバナースイッチ、直近で行われる観劇などの開催情報に関する広告等を表示する。その他、個人情報の設定や機能設定、使用方法の説明等を行うスイッチを表示する。
また、この例ではカード読み取りの処理を行うためのカード読み取りスイッチを表示する。カード読み取りスイッチ以外のＧＵＩが選択された場合には、それぞれ所定のＵＲＬのサーバーに接続して所定の情報を表示する。カード読み取りスイッチが操作された場合には、図５に示すカードの接触位置を示したカード読み取り画面を表示する。カードに搭載されているコード情報が正常に取得できない場合には読み取り処理を繰り返し、何度かのトライアルで認識できない場合にはエラー表示をする。また、コード情報を文字、数字によって印刷情報としてカードに表示する場合には、当該コード情報を入力させるように構成してもよい。
【００４４】
コード情報が正常に取得できた場合、当該コード情報に対応する接続情報を取得する。当該接続情報は、アプリケーションが記憶するコード情報に対応して用意したデータテーブルから取得する他、予め接続先が定められているサーバーに接続して最新情報を取得するようにしてもよい。何れの方法であっても、コード情報が正常に取得できた場合には試聴用の視聴コンテンツを記憶したサーバに接続し、視聴コンテンツファイルを一括ダウンロード若しくはストリーミング形式で取得し電子機器の画面上で再生する。
視聴コンテンツの再生中若しくは再生後に、視聴したコンテンツの販売若しくは関連するコンサート等の鑑賞チケットの販売サイトに接続し、所定の手続きでこれらを販売する。
鑑賞チケットの場合、代金の決済方法によって処理は多様であるが、決済が完了した場合には郵送などでチケットを発送し、予約番号を発行し当該予約番号を用いてコンビニエンスストアの発券システムを利用して代金の決済およびチケットの取得を行わせるようにすることができる。
【００４５】
なお、本発明に係る入力デバイスとして、前記カード１と同様の構成を肉厚０．１ｍｍ程度の薄い紙製シート若しくは樹脂フィルムを用いて構成することができる。肉厚が薄いと剛性が低いので、紙製シート若しくは樹脂フィルム単体でコード情報を形成する複数の被検出部をタッチパネルに接触させることは難しくなる。しかし、弾力性のある部材を用いてコード情報を形成した領域全体を均一に押圧することで、当該部位をタッチパネルに対してほぼ均一に密着させることができる。変形しにくい剛性の高いカードよりも、薄い用紙として形成した場合のほうがタッチパネルに対する密着度を高めることができる。密着度を高めることができるということは、コード情報が認識しやすくなり、誤認識や読み取り不良を低減させることができるものとなっている。
【産業上の利用可能性】
【００４６】
本発明は、視聴コンテンツを提供若しくは取得するためのプログラム、電子機器、システムに利用可能である。
【符号の説明】
【００４７】
１  カード
２  電子機器
３  タッチパネル（「タッチスクリーン」ともいう）
２ａ  制御手段
２ｂ  記憶手段
２ｃ  通信手段（通信ＩＦ）
２ｄ  ＧＰＳ受信機
５  アプリケーション提供サーバー
６  コード管理サーバー
７ａ  音楽提供サーバー
７ｂ  動画提供サーバー
７ｃ  読書コンテンツ提供サーバー
１０  基材
１１  導電層
１２（１２ａ、１２ｂ、１２ｃ）  印刷層
１３（１３ａ、１３ｂ、１３ｃ、１３ｄ、１３ｅ）  被検出部
１４  導電領域
１５  接続線
１６  被検出領域
２０  文字表示
２１（２１ａ、２１ｂ、２１ｃ）  ガイドライン
２２  イラスト画
２４  ＧＵＩメニュー
２５  検出エリア
２６  機能ＧＵＩ
【図１】
2016009291.tif 000003
【図２】
2016009291.tif 000004
【図３】
2016009291.tif 000005
【図４】
2016009291.tif 000006
【図５】
2016009291.tif 000007
【図６】
2016009291.tif 000008
【図７】
2016009291.tif 000009
【図８】
2016009291.tif 000010